(57)【特許請求の範囲】
【請求項１】
鏡板と、該鏡板の周端を嵌入する嵌合溝が形成された縦框及び横框を連接してなる框部とを備える戸において、
前記縦框及び横框は正面視前後方向に表層（及び中間層）が硬質層（及び軟質層）である中質繊維板を少なくとも３枚重畳した複合板からなり、
前記嵌合溝は対向前後側面が前記表層の硬質層になるように形成してあることを特徴とする戸。
【請求項２】
前記框部は、前記複合板の重畳面に形成された嵌合凹所に補助体を嵌合して前記縦框及び横框を連接してあることを特徴とする請求項１記載の戸。
【発明の詳細な説明】
【０００１】
【発明の属する技術分野】
本発明は、ドアー、引き戸等として好適な戸に関する。
【０００２】
【従来の技術】
従来、この種の戸として以下の如きものは知られている。即ち、左右一対の縦框と、上下一対の横框と、これら縦框及び横框によって構成された枠の内周部に形成された嵌合溝に嵌められた鏡板とを有する戸において、鏡板が、表層の硬質層と中間部の軟質層とからなる中質繊維板（ＭＤＦ）を少なくとも２枚貼り合わせた複合板によって構成されたものは知られている（実開平６−４５０６２号参照）。
この戸は、鏡板が中質繊維板を少なくとも２枚貼り合わせた複合板によって構成されているので、反り等が少ないという利点がある。
【０００３】
【発明の背景】
本発明者は、中質繊維板を少なくとも３枚貼り合わせた複合板を框に使用する方が、即ち、戸の外枠となる框に使用する方が、戸の反りの防止により効果があるのではないかと考えて実験を行なって、框を複合板とする方が鏡板を複合板とするより反り防止の点で効果的であるという結論を得た。
ところで、縦框及び横框によって構成された枠の内周部に、鏡板が嵌まる嵌合溝を形成するに際し、嵌合溝の対向前後側面に軟質層が表われるようにすると、即ち、軟質層によって鏡板を挾むかたちとすると、嵌合溝の開口縁部の軟質層が軟質であるゆえに、嵌合溝の対向前後側面と鏡板との間に入り込んだ湿気や、框の表面（外部から見える表面）に貼り付けられた装飾シートの収縮等によって、嵌合溝の縁部が嵌合溝を拡げる方向に反るという欠点があることが判明した。
【０００４】
【課題を解決するための手段】
本発明は前記欠点を解消するために以下の如き手段を採用した。
第１発明に係る戸は、鏡板と、該鏡板の周端を嵌入する嵌合溝が形成された縦框及び横框を連接してなる框部とを備える戸において、前記縦框及び横框は正面視前後方向に表層（及び中間層）が硬質層（及び軟質層）である中質繊維板を少なくとも３枚重畳した複合板からなり、前記嵌合溝は対向前後側面が前記表層の硬質層になるように形成してあることを特徴とする。
また、第２発明に係る戸は、前記框部は、前記複合板の重畳面に形成された嵌合凹所に補助体を嵌合して前記縦框及び横框を連接してあることを特徴とする。
【０００５】
【発明の効果】
本発明は前記した如き構成によって以下の如き効果を奏する。
第１発明に係る戸にあっては、嵌合溝は対向前後側面が中質繊維板の表層の硬質層になるように形成してあるので、換言すれば、嵌合溝の対向前後側面に軟質層が表われないので、嵌合溝の対向前後側面と鏡板との間に入り込んだ湿気や框の表面（外部から見える表面）に貼り付けられた装飾シートの収縮等によって嵌合溝の縁部が嵌合溝を拡げる方向に反るのを防止することが出来る。
第２発明に係る戸にあっては、硬質層により補助体の動きが規制されるので、縦框と横框との連結を強固に行うことが出来る。
【０００６】
【発明の実施の形態】
以下に本発明の実施の形態を図面を参照しつつ説明する。
なお、この説明において、前とは図１紙面表側を、後とは同裏側をいい、左とは図１左側を、右とは同図右側をいう。
【０００７】
ドアー、引き戸等の戸１は、左右一対の縦框２と、上下一対の横框３と、これら縦框２及び横框３によって構成された枠に後述するようにして嵌められた鏡板４とを有している。
前記縦框２及び横框３は、表層の硬質層６ａと中間部の軟質層６ｂとからなる中質繊維板６を少なくとも３枚貼り合わせた複合板８によって構成されている。
前記鏡板４の素材は、木質系板・ガラス板等任意である。
【０００８】
前記横框３の左右端面は、横框３に対向する縦框２の側面に整合当接するように切削加工されている。図１及び図２に示すごとく、横框３の左右端部に、その端面側から前後２つの嵌合凹所１０が形成されている。これら嵌合凹所１０は、複合板８の硬質層６ａが重なった部分Ａ又は複合板８の硬質層６ａが重なった部分Ａを含む部分に形成されており、これら嵌合凹所１０に接着剤を介して補助体であるダボ１１が長さの半分が突出するかたちで嵌合されている。前記ダボ１１の突出部が嵌合突起１２となされている。前記ダボ１１の素材は、接着剤の滲み込みがほとんどない素材であれば任意である。前記において、「嵌合凹所１０が、複合板８の硬質層６ａが重なった部分Ａに形成されている」とは、硬質層６ａが重なった部分Ａから嵌合凹所１０がはみ出さない状態で形成されている場合をいい、「嵌合凹所１０が、複合板８の硬質層６ａが重なった部分Ａを含む部分に形成されている」とは、硬質層６ａが重なった部分Ａから嵌合凹所１０がはみ出す状態（図２の状態）で形成されている場合をいう。
【０００９】
前記縦框２の上下部の横框３に対向する部に、嵌合突起１２に向かって開口する上下２つの嵌合凹所１４が形成されている。これら嵌合凹所１４は、複合板８の硬質層６ａが重なった部分Ａ又は複合板８の硬質層６ａが重なった部分Ａを含む部分に形成されており、これら嵌合凹所１４に接着剤を介して前記嵌合突起１２が嵌合されている。
前記において、「嵌合凹所１４が、複合板８の硬質層６ａが重なった部分Ａに形成されている」とは、硬質層６ａが重なった部分Ａから嵌合凹所１４がはみ出さない状態で形成されている場合をいい、「嵌合凹所１４が、複合板８の硬質層６ａが重なった部分Ａを含む部分に形成されている」とは、硬質層６ａが重なった部分Ａから嵌合凹所１４がはみ出す状態（図２の状態）で形成されている場合をいう。
【００１０】
前記のごとき構成により、嵌合凹所１０、１４の内面（内周面及び底面）に硬質層６ａが露出し、その硬質層６ａによって嵌合突起１２（ダボ１１）の動きが規制されるので、縦框２と横框３との連結を強固に行なうことが出来る。
また、嵌合凹所１０、１４の内面（内周面及び底面）に接着剤が浸透しにくい硬質層６ａが表われることになるので、接着剤が嵌合凹所１０、１４から抜け出す量が、嵌合凹所１０、１４の全体を軟質層６ｂに形成した場合に比較して少なくなり、接着剤が減少することに起因する接着不良を防止することが出来る。
【００１１】
図３に示すごとく、縦框２及び横框３によって構成された枠の内周部に嵌合溝１６が形成され、これら嵌合溝１６に鏡板４の外周縁部が接着剤を介して又は介さずに嵌合されている。
前記嵌合溝１６の対向前後側面１６ａに硬質層６ａが表われるようになされている。
【００１２】
縦框２、横框３の表面（外部から見える表面）には、装飾シート（図示略）が貼り付けられている。
【００１３】
【変形例等】
以下に変形例等について説明を加える。
（１）嵌合突起１２を框の端部に切削加工を施して形成してもよい。即ち、嵌合突起１２を框と一体ものとしてもよい。この場合、嵌合突起１２は、複合板８の硬質層６ａが重なった部分Ａに、又は、複合板８の硬質層６ａが重なった部分Ａを含む部分に形成される。
（２）図示の戸１を上下に９０度回転させて横向きとした状態で、戸１を使用することがあることは云うまでもない。
（３）複合板８は、中質繊維板６を３枚以上貼り合わせたものであってもよい。
（４）縦框２及び横框３によって構成された枠内を装飾桟等で区切って、その区切られた空間に鏡板を嵌めるようにしてもよい。
【図面の簡単な説明】
【図１】本発明の実施の形態を示す中間省略の一部破砕正面図である。
【図２】図１のＩＩ−ＩＩ線拡大断面図である。
【図３】図１のＩＩＩ−ＩＩＩ線拡大断面図である。
【符号の説明】
１  戸
２  縦框
２  横框
４  鏡板
６  中質繊維板
６ａ  硬質層
６ｂ  軟質層
８  複合板
１６  嵌合溝
１６ａ  対向前後側面
【図１】
0003852726.tif 000002
【図２】
0003852726.tif 000003
【図３】
0003852726.tif 000004